(57)【要約】【課題】中空スラブの中空率を高めるとともに、軽量埋込材の固定度と設置の容易性を高めることができる軽量埋込材およびこれを使用したプレキャストコンクリート板ならびに中空スラブを提供することである。【解決手段】軽量埋込材１は、上面における格子の交差部に位置する箇所に突起２が設けられ、この突起２を結ぶ格子部３内には下側に向かって小径な貫通孔４が設けられ、該貫通孔４の下部開口周囲にはリブ５が突設されてなる。また突起２は半球形である。また格子部３は突起２から貫通孔４側に向かって下側に傾斜したことを含むものである。【選択図】　図１
2004092166.tif 000002
【特許請求の範囲】
【請求項１】
上面における格子の交差部に位置する箇所に突起が設けられ、この突起を結ぶ格子部内には下側に向かって漸次小径な貫通孔が設けられ、該貫通孔の下部開口周囲にリブが突設されたことを特徴とする軽量埋込材。
【請求項２】
突起は半球形であることを特徴とする請求項１に記載の軽量埋込材。
【請求項３】
格子部は突起側から貫通孔側に向かって下側に傾斜したことを特徴とする請求項１または２に記載の軽量埋込材。
【請求項４】
コンクリート板の上面に適宜間隔ごとにトラス筋が配筋され、このトラス筋間に適宜間隔ごとに軽量埋込材が設置され、該軽量埋込材の上面には格子の交差部に位置する箇所にトラス筋の上端筋より上側に突出した突起が設けられ、この突起を結ぶ格子部内には下側に向かって漸次小径な貫通孔が設けられ、該貫通孔の下部開口周囲に突設されたリブがコンクリート板に埋設されたことを特徴とするプレキャストコンクリート板。
【請求項５】
請求項１〜３のいずれかの軽量埋込材がコンクリート内に適宜間隔ごとに設置され、前記突起がトラス筋の上端筋より上側に突出したことを特徴とする中空スラブ。
【発明の詳細な説明】
【０００１】
【発明の属する技術分野】
本発明は軽量埋込材およびこれを使用したプレキャストコンクリート板ならびに中空スラブに関するものである。
【０００２】
【従来の技術】
近年、集合住宅において大スパンの床を構築するために、図５の（１）に示すような中空スラブ１５が構築されている（特開２００１−２１４５６２号）。この中空スラブ１５は遮音性を高めるために、同図の（２）に示すような軽量埋込材１６がスラブ内に適宜間隔ごとに設置されている。
【０００３】
【発明が解決しようとする課題】
しかし、上記の中空スラブは軽量埋込材の高さがトラス筋より低いため、中空スラブの中空率より高めることができなかった。また軽量埋込材の固定度と設置の容易性を高める工夫がされていなかった。
【０００４】
本発明は上記のような問題に鑑みてなされたものであり、その目的は、中空スラブの中空率を高めるとともに、軽量埋込材の固定度と設置の容易性を高めることができる軽量埋込材およびこれを使用したプレキャストコンクリート板ならびに中空スラブを提供することである。
【０００５】
【課題を解決するための手段】
以上の課題を解決するための軽量埋込材の要旨は、上面における格子の交差部に位置する箇所に突起が設けられ、この突起を結ぶ格子部内には下側に向かって漸次小径な貫通孔が設けられ、該貫通孔の下部開口周囲にはリブが突設されたことを特徴とする。また突起は半球形であることを特徴とする。また格子部は突起側から貫通孔側に向かって下側に傾斜したことを含むものである。
【０００６】
またプレキャストコンクリート板の要旨は、コンクリート板の上面に適宜間隔ごとにトラス筋が配筋され、このトラス筋間に適宜間隔ごとに軽量埋込材が設置され、該軽量埋込材の上面には格子の交差部に位置する箇所にトラス筋の上端筋より上側に突出した突起が設けられ、この突起を結ぶ格子部内には下側に向かって漸次小径な貫通孔が設けられ、該貫通孔の下部開口周囲に突設されたリブがコンクリート板に埋設されたことを特徴とする。
【０００７】
また中空スラブの要旨は、上面における格子の交差部に位置する箇所に突起が設けられ、この突起を結ぶ格子部内には下側に向かって漸次小径な貫通孔が設けられ、該貫通孔の下部開口周囲にはリブが突設された軽量埋込材がコンクリート内に適宜間隔ごとに設置され、前記突起がトラス筋の上端筋より上側に突出したことを特徴とする。
【０００８】
貫通孔の下部開口周囲に突設されたリブにより、軽量埋込材の固定度と設置の容易性を高めることができる。また突起を半球形にしたことにより、軽量衝撃音に対する遮音性能が高くなる。また格子部が突起側から貫通孔側に向かって下側に傾斜されたことにより、コンクリートが貫通孔へ流れ込みやすくなる。また貫通孔の下部開口周囲に突設されたリブがコンクリート板に埋設されるので、プレキャストコンクリート板における軽量埋込材の固定度を高めることができる。またトラス筋の上端筋より上側に突出した突起が、プレキャストコンクリート板を積み重ねるときの支持体となるので、バランスの良い安全な積み重ねができる。また突起がトラス筋の上端筋より上側に突出したので、スラブの中空率を高めることができる。貫通孔の下部開口周囲に突設されたリブがコンクリート板に埋設されたことにより軽量埋込材の固定度が高くなるので、トップコンクリートの打設による軽量埋込材のずれが抑えられる。突起側から貫通孔側に向かって下側に傾斜された格子部により、コンクリートが貫通孔へ流れ込みやすくなる。
【０００９】
【発明の実施の形態】
以下、本発明の軽量埋込材およびこれを使用したプレキャストコンクリート板（以下、ＰＣ板という）ならびに中空スラブの実施の形態を図面に基づいて詳細に説明する。はじめに、軽量埋込材の実施の形態について説明し、その後にＰＣ板および中空スラブの実施の形態について説明する。また各実施の形態において同じ構成は同じ符号を付して説明し、異なった構成にのみ異なった符号を付して説明する。
【００１０】
軽量埋込材１は、図１に示すように、ポリスチレン系樹脂などで直方体に形成された発泡体であり、上面における格子の交差部に位置する箇所に半球状の突起２が設けられ、この突起２を結ぶ格子部３の中央には下側に向かって漸次小径な貫通孔４が開口され、この貫通孔４の下部開口周囲にはリブ５が突設されている。また格子部３は突起２側から貫通孔４側に向かって下側に傾斜して形成されている。よって打設されたコンクリートが突起２に当たると、これがガイドとなって傾斜した格子部３側へ集められ貫通孔４に流れ込みやすくなっている。なお、突起は半球形に限らず、方形または多面体形のものであってもよい。
【００１１】
図２は、上記の軽量埋込材１がトラス筋６間に適宜間隔ごとに設置されたＰＣ板７であり、貫通孔４の下部開口周囲に突設されたリブ５がコンクリート板８に埋設されている。また突起２がトラス筋６の上端筋９より上側に突出している。したがって、図３に示すように、ＰＣ板７を積み重ねると、突起２が支持体となってバランスの良い、安全な積み重ねができるとともに、トラス筋６の損傷を防ぐこともできる。
【００１２】
また図４は、上記のＰＣ板７を使用した中空スラブ１０であり、軽量埋込材１の突起２がトラス筋６の上端筋９から突出して、上部補強筋１１の格子部に挿入されている。また貫通孔４の下部開口周囲に突設されたリブ５がコンクリート板８に埋設されているため、コンクリートの打設時における軽量埋込材１のずれを抑えている。また周囲に設けた突起２と、この突起２側から貫通孔４側に向かって下側に傾斜した格子部３とにより、コンクリート１２が貫通孔４に密実に充填されている。この貫通孔４のコンクリート１２によって、コンクリート板８とトップコンクリート１３とが連結されるので、共振現象が抑えられて遮音性を高めている。
【００１３】
【発明の効果】
貫通孔の下部開口周囲に突設されたリブにより、軽量埋込材の固定度と設置の容易性を高めることができる。
【００１４】
格子部が突起側から貫通孔側に向かって下側に傾斜されたことにより、コンクリートが貫通孔へ流れ込みやすくなる。
【００１５】
貫通孔の下部開口周囲に突設されたリブがコンクリート板に埋設されるので、ＰＣ板における軽量埋込材の固定度を高めることができる。
【００１６】
トラス筋の上端筋より上側に突出した突起が、ＰＣ板を積み重ねるときの支持体となるので、バランスの良い安全な積み重ねができる。また従来のように積み重ねたＰＣ板のコンクリート板と、下側のＰＣ板のトラス筋との間にかませるパッキンを省略することができるので、積み重ね作業の効率化を図ることができる。
【００１７】
突起がトラス筋の上端筋より上側に突出したので、スラブの中空率を高めることができる。
【００１８】
突起を半球形にしたことにより、軽量衝撃音に対する遮音性能が高くなる。
【００１９】
貫通孔の下部開口周囲に突設されたリブがコンクリート板に埋設されたことにより、軽量埋込材の固定度が高くなるので、トップコンクリートの打設による軽量埋込材のずれを抑えるとともに、格子部から貫通孔へコンクリートが流れ込みやすくなる。
【図面の簡単な説明】
【図１】軽量埋込材を示し、（１）は平面図、（２）は（１）のＡ−Ａ線断面図、（３）は（１）のＢ−Ｂ線断面図、（４）は（１）のＣ−Ｃ線断面図、（５）は（１）のＤ−Ｄ線断面図である。
【図２】ＰＣ板を示し、（１）は平面図、（２）は（１）のＥ−Ｅ線断面図、（３）は（１）のＦ−Ｆ線断面図である。
【図３】ＰＣ板を積み重ねた断面図である。
【図４】中空スラブを示し、（１）は軽量埋込材の上に上部補強筋を配筋した平面図、（２）は（１）の断面図、（３）は中空スラブの断面図である。
【図５】従来の中空スラブを示し、（１）は中空スラブの断面図、（２）は軽量埋込材の斜視図である。
【符号の説明】
１、１６　軽量埋込材
２　突起
３　格子部
４　貫通孔
５　リブ
６　トラス筋
７　ＰＣ板
８　コンクリート板
９　上端筋
１０、１５　中空スラブ
１１　上部補強筋
１２　コンクリート
１３　トップコンクリート
【図１】
2004092166.tif 000003
【図２】
2004092166.tif 000004
【図３】
2004092166.tif 000005
【図４】
2004092166.tif 000006
【図５】
2004092166.tif 000007